【手続補正書】
【提出日】平成25年9月27日(2013.9.27)
【手続補正１】
【補正対象書類名】特許請求の範囲
【補正対象項目名】全文
【補正方法】変更
【補正の内容】
【特許請求の範囲】
【請求項１】
印刷装置に送信される前の形式である中間形式の印刷ジョブを生成する仮想プリンタドライバを備える情報処理装置と、前記印刷ジョブを管理するプリントサーバと、印刷装置とを含むプリントシステムであって、
前記プリントサーバは、
前記情報処理装置から受信した前記中間形式の印刷ジョブを記憶する記憶手段と、
前記印刷装置のプリンタドライバを用いて、前記記憶手段により記憶された中間形式の印刷ジョブを前記印刷装置にて印刷可能な第１ＰＤＬ印刷ジョブに変換する変換手段と、
前記変換手段にて変換された前記第１ＰＤＬ印刷ジョブが前記印刷装置にて保存されるように前記第１ＰＤＬ印刷ジョブを送信する送信手段と
を有し、
前記記憶手段は、前記第１ＰＤＬ印刷ジョブが生成された後も前記中間形式の印刷ジョブを記憶し、
前記送信手段は、前記印刷装置から前記印刷ジョブに対する印刷設定変更指示を受信した場合、変更された印刷設定情報と前記記憶手段に記憶された前記中間形式の印刷ジョブに基づいて生成された第２ＰＤＬ印刷ジョブを前記印刷装置に送信し、
前記印刷装置は、
前記送信手段により送信された前記第１ＰＤＬ印刷ジョブを保存する保存手段と、
前記印刷ジョブを印刷する印刷手段と、
印刷ジョブを選択する選択手段と、
前記選択手段により選択された印刷ジョブに対する前記印刷設定情報の変更指示を送信する設定変更送信手段と
を有し、
前記印刷手段は、
前記設定変更送信手段によって印刷設定情報の変更指示が送信された場合、前記プリントサーバから送信された前記第２ＰＤＬ印刷ジョブを用いて印刷を行い、
前記設定変更送信手段によって印刷設定情報の変更指示が送信されていない場合、前記保存手段にて保存されている前記第１ＰＤＬ印刷ジョブを用いて印刷を行う
ことを特徴とするプリントシステム。
【請求項２】
前記送信手段は、前記印刷ジョブの特性に応じて予め定義された優先順に従って、印刷ジョブの保存する順番を決定することを特徴とする請求項１に記載のプリントシステム。
【請求項３】
前記優先順を定義するための前記印刷ジョブの特性は、印刷ジョブの印刷順、印刷ジョブにおけるページ数のうち、少なくとも一つであることを特徴とする請求項２に記載のプリントシステム。
【請求項４】
前記送信手段は、保存可能な印刷ジョブの数を定義することができることを特徴とする請求項１に記載のプリントシステム。
【請求項５】
前記印刷装置は、前記プリントサーバにて管理している印刷ジョブに適用する強制印刷設定を予め保持する強制設定保持手段を更に有し、
印刷ジョブ一覧要求を送信する際に、前記強制印刷設定を更に前記プリントサーバに送信し、
前記プリントサーバは、前記印刷装置から受信した前記強制印刷設定を用いて設定を行った印刷ジョブを含む前記印刷ジョブ一覧情報を前記印刷装置へ送信することを特徴とする請求項１に記載のプリントシステム。
【請求項６】
印刷装置に送信される前の形式である中間形式の印刷ジョブを生成する仮想プリンタドライバを備える情報処理装置と印刷装置と通信するプリントサーバであって、
前記情報処理装置から受信した前記中間形式の印刷ジョブを記憶する記憶手段と、
前記印刷装置のプリンタドライバを用いて、前記記憶手段により記憶された中間形式の印刷ジョブを前記印刷装置にて印刷可能な第１ＰＤＬ印刷ジョブに変換する変換手段と、前記変換手段にて変換された前記第１ＰＤＬ印刷ジョブが前記印刷装置にて保存されるように前記第１ＰＤＬ印刷ジョブを送信する送信手段と
を有し、
前記記憶手段は、前記第１ＰＤＬ印刷ジョブが生成された後も前記中間形式の印刷ジョブを記憶し、
前記送信手段は、前記印刷装置から前記印刷ジョブに対する印刷設定変更指示を受信した場合、変更された印刷設定情報と前記記憶手段にて記憶された前記中間形式の印刷ジョブに基づいて生成された第２ＰＤＬ印刷ジョブを前記印刷装置に送信するプリントサーバ。
【請求項７】
印刷装置に送信される前の形式である中間形式の印刷ジョブを生成する仮想プリンタドライバを備える情報処理装置と、前記印刷ジョブを管理するプリントサーバと、印刷装置とを含むプリントシステムにおける印刷方法であって、
前記プリントサーバにおいて、
記憶手段が、前記情報処理装置から受信した前記中間形式の印刷ジョブを記憶する記憶工程と、
変更手段が、前記印刷装置のプリンタドライバを用いて、前記記憶工程において記憶された中間形式の印刷ジョブを前記印刷装置にて印刷可能な第１ＰＤＬ印刷ジョブに変換する変換工程と、
送信手段が、前記変換工程において変換された前記第１ＰＤＬ印刷ジョブが前記印刷装置にて保存されるように前記第１ＰＤＬ印刷ジョブを送信する送信工程と
を有し、
前記記憶工程において、前記第１ＰＤＬ印刷ジョブが生成された後も前記中間形式の印刷ジョブを記憶し、
前記印刷装置から前記印刷ジョブに対する印刷設定変更指示を受信した場合、前記送信工程において、変更された印刷設定情報と前記記憶工程において記憶された前記中間形式の印刷ジョブに基づいて生成された第２ＰＤＬ印刷ジョブを前記印刷装置に送信し、
前記印刷装置において、
保存手段が、前記送信工程により送信された前記第１ＰＤＬ印刷ジョブを保存する保存工程と、
印刷手段が、前記印刷ジョブを印刷する印刷工程と、
選択手段が、印刷ジョブを選択する選択工程と、
設定変更送信手段が、前記選択工程において選択された印刷ジョブに対する前記印刷設定情報の変更指示を送信する設定変更送信工程と
を有し、
前記印刷工程において、
前記設定変更送信工程において印刷設定情報の変更指示が送信された場合、前記プリントサーバから送信された前記第２ＰＤＬ印刷ジョブを用いて印刷を行い、
前記設定変更送信工程において印刷設定情報の変更指示が送信されていない場合、前記保存工程にて保存された前記第１ＰＤＬ印刷ジョブを用いて印刷を行う
ことを特徴とする印刷方法。
【請求項８】
印刷装置に送信される前の形式である中間形式の印刷ジョブを生成する仮想プリンタドライバを備える情報処理装置と印刷装置と通信するプリントサーバの制御方法であって、
記憶手段が、前記情報処理装置から受信した前記中間形式の印刷ジョブを記憶する記憶工程と、
変換手段が、前記印刷装置のプリンタドライバを用いて、前記記憶工程において記憶された中間形式の印刷ジョブを前記印刷装置にて印刷可能な第１ＰＤＬ印刷ジョブに変換する変換工程と、
送信手段が、前記変換工程において変換された前記第１ＰＤＬ印刷ジョブが前記印刷装置にて保存されるように前記第１ＰＤＬ印刷ジョブを送信する送信工程と
を有し、
前記記憶工程において、前記第１ＰＤＬ印刷ジョブが生成された後も前記中間形式の印刷ジョブを記憶し、
前記印刷装置から前記印刷ジョブに対する印刷設定変更指示を受信した場合、前記送信工程において、変更された印刷設定情報と前記記憶工程において記憶された前記中間形式の印刷ジョブに基づいて生成された第２ＰＤＬ印刷ジョブを前記印刷装置に送信する制御方法。
【請求項９】
コンピュータを、
情報処理装置から受信した中間形式の印刷ジョブを記憶する記憶手段、
印刷装置のプリンタドライバを用いて、前記記憶手段により記憶された中間形式の印刷ジョブを前記印刷装置にて印刷可能な第１ＰＤＬ印刷ジョブに変換する変換手段、
前記変換手段にて変換された前記第１ＰＤＬ印刷ジョブが前記印刷装置にて保存されるように前記第１ＰＤＬ印刷ジョブを送信する送信手段
として機能させ、
前記記憶手段は、前記第１ＰＤＬ印刷ジョブが生成された後も前記中間形式の印刷ジョブを記憶し、
前記送信手段は、前記印刷装置から前記印刷ジョブに対する印刷設定変更指示を受信した場合、変更された印刷設定情報と前記記憶手段に記憶された前記中間形式の印刷ジョブに基づいて生成された第２ＰＤＬ印刷ジョブを前記印刷装置に送信することを特徴とするプログラム。
【手続補正２】
【補正対象書類名】明細書
【補正対象項目名】発明の名称
【補正方法】変更
【補正の内容】
【発明の名称】プリントシステム、印刷方法、プリントサーバ及びその制御方法、並びにプログラム
【手続補正３】
【補正対象書類名】明細書
【補正対象項目名】０００１
【補正方法】変更
【補正の内容】
【０００１】
本発明は、プルプリント制御を行うプリントシステム、印刷方法、プリントサーバ及びその制御方法、並びにプログラムに関する。
【手続補正４】
【補正対象書類名】明細書
【補正対象項目名】００１０
【補正方法】変更
【補正の内容】
【００１０】
上記課題を解決するため、本発明は以下の構成を有する。すなわち、印刷装置に送信される前の形式である中間形式の印刷ジョブを生成する仮想プリンタドライバを備える情報処理装置と、前記印刷ジョブを管理するプリントサーバと、印刷装置とを含むプリントシステムであって、前記プリントサーバは、前記情報処理装置から受信した前記中間形式の印刷ジョブを記憶する記憶手段と、前記印刷装置のプリンタドライバを用いて、前記記憶手段により記憶された中間形式の印刷ジョブを前記印刷装置にて印刷可能な第１ＰＤＬ印刷ジョブに変換する変換手段と、前記変換手段にて変換された前記第１ＰＤＬ印刷ジョブが前記印刷装置にて保存されるように前記第１ＰＤＬ印刷ジョブを送信する送信手段とを有し、前記記憶手段は、前記第１ＰＤＬ印刷ジョブが生成された後も前記中間形式の印刷ジョブを記憶し、前記送信手段は、前記印刷装置から前記印刷ジョブに対する印刷設定変更指示を受信した場合、変更された印刷設定情報と前記記憶手段に記憶された前記中間形式の印刷ジョブに基づいて生成された第２ＰＤＬ印刷ジョブを前記印刷装置に送信し、前記印刷装置は、前記送信手段により送信された前記第１ＰＤＬ印刷ジョブを保存する保存手段と、前記印刷ジョブを印刷する印刷手段と、印刷ジョブを選択する選択手段と、前記選択手段により選択された印刷ジョブに対する前記印刷設定情報の変更指示を送信する設定変更送信手段とを有し、前記印刷手段は、前記設定変更送信手段によって印刷設定情報の変更指示が送信された場合、前記プリントサーバから送信された前記第２ＰＤＬ印刷ジョブを用いて印刷を行い、前記設定変更送信手段によって印刷設定情報の変更指示が送信されていない場合、前記保存手段にて保存されている前記第１ＰＤＬ印刷ジョブを用いて印刷を行う。